(57)【要約】【課題】溶湯金属の脱ガス処理を効率良く行うことができるランスパイプ、脱ガス処理器、脱ガス処理器付き容器および脱ガス処理器付き樋を提供する。【解決手段】溶湯金属中に不溶性ガスを吹き込んで脱ガス処理を行うためのランスパイプ１であって、金属製の管本体１０と、管本体１０を被覆する多孔質性耐火材からなる被覆材２０とを備えており、管本体１０の側壁には、被覆材２０で被覆されるガス流出孔１６が形成されているランスパイプ１。【選択図】図１
2008007848.tif 000002
【特許請求の範囲】
【請求項１】
溶湯金属中に不溶性ガスを吹き込んで脱ガス処理を行うためのランスパイプであって、
金属製の管本体と、前記管本体を被覆する多孔質性耐火材からなる被覆材とを備えており、
前記管本体の側壁には、前記被覆材で被覆されるガス流出孔が形成されているランスパイプ。
【請求項２】
前記管本体は、曲がり部を有しており、
前記ガス流出孔は、前記管本体の前記曲がり部よりも先端側に形成されている請求項１に記載のランスパイプ。
【請求項３】
前記被覆材は、ガラス繊維から成る基材シートにガラス質コーティング剤を含浸させると共に、前記基材シートの表面全体をガラス質コーティング剤の塗布膜で覆うことにより形成されている請求項１又は２に記載のランスパイプ。
【請求項４】
前記ガス流出孔には、多孔質性耐火材からなる多孔質栓が装着されており、
前記多孔質栓は、前記被覆材により被覆されている請求項１から３のいずれかに記載のランスパイプ。
【請求項５】
前記管本体の少なくとも一部は、金網状部材を筒状に形成して構成されている請求項１から４のいずれかに記載のランスパイプ。
【請求項６】
溶湯金属中に不溶性ガスを吹き込んで脱ガス処理を行うための脱ガス処理器であって、
内部空間を有する金属製の処理器本体と、前記処理器本体を被覆する多孔質性耐火材からなる被覆材とを有する気泡発生体を備えており、
前記気泡発生体には、前記内部空間に不溶性ガスを導くガス導入部が形成されており、
前記処理器本体には、前記被覆材で被覆されるガス流出孔が形成されている脱ガス処理器。
【請求項７】
前記気泡発生体は、平板状に形成されており、
前記ガス流出孔は、前記気泡発生体の少なくとも一方面から不溶性ガスが流出するように形成されている請求項６に記載の脱ガス処理器。
【請求項８】
前記気泡発生体は、溶湯金属が収容される収容部を備えており、
前記ガス流出孔は、前記収容部に不溶性ガスが流出するように形成されている請求項６に記載の脱ガス処理器。
【請求項９】
前記気泡発生体は、溶湯金属が移送される移送部を備えており、
前記ガス流出孔は、前記移送部に不溶性ガスが流出するように形成されている請求項６に記載の脱ガス処理器。
【請求項１０】
前記被覆材は、ガラス繊維から成る基材シートにガラス質コーティング剤を含浸させると共に、前記基材シートの表面全体をガラス質コーティング剤の塗布膜で覆うことにより形成されている請求項６から９のいずれかに記載の脱ガス処理器。
【請求項１１】
前記ガス流出孔には、多孔質性耐火材からなる多孔質栓が装着されており、
前記多孔質栓は、前記被覆材により被覆されている請求項６から１０のいずれかに記載の脱ガス処理器。
【請求項１２】
前記処理器本体の少なくとも一部は、金網状部材により構成されている請求項６から１１のいずれかに記載の脱ガス処理器。
【請求項１３】
請求項６に記載の脱ガス処理器と、溶湯金属が収容される収容空間とを備える脱ガス処理器付き容器であって、
前記気泡発生体が、前記収容空間に配置されている脱ガス処理器付き容器。
【請求項１４】
請求項６に記載の脱ガス処理器と、溶湯金属が移送される移送空間とを備える脱ガス処理器付き樋であって、
前記気泡発生体が、前記移送空間に配置されている脱ガス処理器付き樋。
【発明の詳細な説明】
【技術分野】
【０００１】
本発明は、ランスパイプ、脱ガス処理器、脱ガス処理器付き容器及び脱ガス処理器付き樋に関する。
【背景技術】
【０００２】
従来、溶湯金属の精錬において、溶湯金属中に不活性ガス等を吹き込み、溶湯中に溶解している水素等を不活性ガス等の気泡中に移行させて除去する脱ガス処理が行われている。
【０００３】
溶湯金属中に不活性ガス等を吹き込むには、例えば、特許文献１に示すようなランスパイプが用いられている。このランスパイプは、図７に示すように、両端部が開口するガス供給管１０１と、このガス供給管１０１を被覆する耐火材１０２と、ガス供給管１０１の一方の開口を閉塞するようにして設置される通気性耐火物１０３とを備えている。このように構成されたランスパイプ１００を溶湯金属に浸漬させて不活性ガスを導入することにより、不活性ガスは、通気性耐火物１０３を通過してランスパイプ１００の先端から多数の気泡Ｇとなって溶湯金属中に流出する。溶湯金属中に溶解している水素等は、通気性耐火物１０３から流出した不活性ガスの気泡Ｇ中に移行して、溶湯から除去される。
【特許文献１】特開平２−３０１５２６号公報
【発明の開示】
【発明が解決しようとする課題】
【０００４】
しかしながら、上述したランスパイプを用いて溶湯金属の脱ガス処理を行った場合、溶湯金属全体に不活性ガスの気泡を行き渡らせることが難しく、脱ガス処理を効率的に行うことが困難であるという問題があった。
【０００５】
本発明は、このような問題を解決するためになされたものであって、溶湯金属の脱ガス処理を効率良く行うことができるランスパイプ、脱ガス処理器、脱ガス処理器付き容器および脱ガス処理器付き樋を提供することを目的とする。
【課題を解決するための手段】
【０００６】
本発明の上記目的は、溶湯金属中に不溶性ガスを吹き込んで脱ガス処理を行うためのランスパイプであって、金属製の管本体と、前記管本体を被覆する多孔質性耐火材からなる被覆材とを備えており、前記管本体の側壁には、前記被覆材で被覆されるガス流出孔が形成されているランスパイプにより達成される。
【０００７】
また、このランスパイプにおいて、前記管本体は、曲がり部を有しており、前記ガス流出孔は、前記管本体の前記曲がり部よりも先端側に形成されていることが好ましい。
【０００８】
また、前記被覆材は、ガラス繊維から成る基材シートにガラス質コーティング剤を含浸させると共に、前記基材シートの表面全体をガラス質コーティング剤の塗布膜で覆うことにより形成されていることが好ましい。
【０００９】
また、前記ガス流出孔には、多孔質性耐火材からなる多孔質栓が装着されており、前記多孔質栓は、前記被覆材により被覆されていることが好ましい。
【００１０】
また、前記管本体の少なくとも一部は、金網状部材を筒状に形成して構成してもよい。
【００１１】
また、本発明の上記目的は、溶湯金属中に不溶性ガスを吹き込んで脱ガス処理を行うための脱ガス処理器であって、内部空間を有する金属製の処理器本体と、前記処理器本体を被覆する多孔質性耐火材からなる被覆材とを有する気泡発生体を備えており、前記気泡発生体には、前記内部空間に不溶性ガスを導くガス導入部が形成されており、前記処理器本体には、前記被覆材で被覆されるガス流出孔が形成されている脱ガス処理器により達成される。
【００１２】
また、この脱ガス処理器において、前記気泡発生体は、平板状に形成されており、前記ガス流出孔は、前記気泡発生体の少なくとも一方面から不溶性ガスが流出するように形成されていることが好ましい。
【００１３】
また、前記気泡発生体は、溶湯金属が収容される収容部を備えており、前記ガス流出孔は、前記収容部に不溶性ガスが流出するように形成されていることが好ましい。
【００１４】
また、前記気泡発生体は、溶湯金属が移送される移送部を備えており、前記ガス流出孔は、前記移送部に不溶性ガスが流出するように形成されてことが好ましい。
【００１５】
また、前記被覆材は、ガラス繊維から成る基材シートにガラス質コーティング剤を含浸させると共に、前記基材シートの表面全体をガラス質コーティング剤の塗布膜で覆うことにより形成されていることが好ましい。
【００１６】
また、前記ガス流出孔には、多孔質性耐火材からなる多孔質栓が装着されており、前記多孔質栓は、前記被覆材により被覆されていることが好ましい。
【００１７】
また、前記処理器本体の少なくとも一部は、金網状部材により構成されていることが好ましい。
【００１８】
また、本発明の上記目的は、脱ガス処理器と、溶湯金属が収容される収容空間とを備える脱ガス処理器付き容器であって、前記気泡発生体が、前記収容空間に配置されている脱ガス処理器付き容器により達成される。
【００１９】
また、本発明の上記目的は、脱ガス処理器と、溶湯金属が移送される移送空間とを備える脱ガス処理器付き樋であって、前記気泡発生体が、前記移送空間に配置されている脱ガス処理器付き樋により達成される。
【発明の効果】
【００２０】
本発明によれば、溶湯金属の脱ガス処理を効率良く行うことができるランスパイプ、脱ガス処理器、脱ガス処理器付き容器および脱ガス処理器付き樋を提供することができる。
【発明を実施するための最良の形態】
【００２１】
以下、本発明のランスパイプついて添付図面を参照して説明する。図１は、本発明の一実施形態に係るランスパイプ１の概略構成断面図であり、図２は、図１のＡ−Ａ断面図である。このランスパイプ１は、図１に示すように、曲がり部１２を有する金属製の管本体１０と、管本体１０を被覆する被覆材２０とを備えている。
【００２２】
管本体１０は、曲がり部１２を構成するエルボ管１３を介して接続されるガス導入管１１およびガス流出管１４を備えており、全体形状が、側面視Ｌ字状となるように構成されている。ガス導入管１１、ガス流出管１４およびエルボ管１３は、普通鋼、ステンレス、鋳鉄などの金属材料から構成されている。
【００２３】
ガス導入管１１は、両端に開口部を有するパイプ状部材であり、一方端がエルボ管１３に接続している。ガス導入管１１の他方端は、図示しない不溶性ガスの供給源から延びるガス供給配管を取り付けるための取付部１５を備えている。ここで、不溶性ガスとは、溶湯金属に溶解しないガスの他、溶湯金属に溶解しにくいガスを含む概念であり、例えば、アルゴン等の不活性ガスや、窒素、塩素等のガスを使用することができる。
【００２４】
ガス流出管１４は、管本体１０の曲がり部１２よりも先端側を構成するパイプ状部材であり、一方端が閉塞された有底状に形成されている。ガス流出管１４の他方端は、エルボ管１３に接続している。このガス流出管１４の側壁には、当該ガス流出管１４の長手方向に沿って所定間隔を空けて形成される複数のガス流出孔１６が形成されている。このガス流出孔１６は、被覆材２０により被覆されている。ガス流出孔１６の孔形状や個数は特に限定されず、例えば、孔形状として、円形状、或いは、楕円形状等の形状を採用することができる。また、ガス流出孔１６を図３に示すような単一のスリット１６ａにより構成することもできる。なお、ガス流出管１４の一方端に設けられる底部１４ａにガス流出孔１６を更に形成するような構成を採用してもよい。
【００２５】
被覆材２０は、例えば、通気率が３．５×１０−１４ｍ２〜９．０×１０−１４ｍ２程度の多孔質性耐火物から構成されており、図１及び図２に示すように、管本体１０の外周面を巻回するようにして被覆する基材シート２１と、基材シート２１の表面を覆う塗布膜２２とを備えている。なお、上記通気率は、ＪＩＳ規格Ｒ２１１５（耐火れんがの通気率の試験方法）に従って求めた値である。基材シート２１は、ガラススリーブ、ガラス織布、ガラス不織布などのガラス繊維からなり、ガラス繊維のガラス組成は、Ｅガラス、Ｓガラス、Ｔガラスなどを好ましく例示することができる。基材シート２１におけるガラス繊維の隙間には、耐熱性を有するガラス質コーティング剤が、管本体１０への装着前に塗布や浸漬などによって予め含浸されている。耐熱性のガラス質コーティング剤としては、例えば、シリカ、アルミナ、アルミナ・シリカ、ジルコン、ジルコニア等の金属酸化物や、炭化ケイ素、窒化ケイ素等の溶湯と反応し難い耐火物粉末を、水ガラス（アルカリ金属ケイ酸塩）やシリカゾル、アルミナゾル、或いはこれらの混合物等の水溶液中に分散させたものを用いることができる。上述した耐火物粉末は、コーティング材の被覆強度を高めるため、繊維状の素材を粉砕して得られたものが好ましい。
【００２６】
基材シート２１表面への塗布膜２２の形成は、耐熱性を有するガラス質コーティング剤の塗布により行われる。耐熱性のガラス質コーティング剤の塗布は、基材シート２１の表面全体に均一に行うことが好ましく、粘度を適宜調整して複数回繰り返し行うことが好ましい。こうして得られる塗布膜２２の基材シート２１表面からの厚みは、２ｍｍ〜７ｍｍ程度が好ましい。基材シート２１の表面に塗布するガラス質コーティング剤も、基材シート２１に含浸させるガラス質コーティング剤と同様のものを例示することができる。
【００２７】
次に、このように構成されたランスパイプ１を用いて溶湯金属中に窒素等の不溶性ガスを吹き込み、溶湯金属中に溶解する水素を除去する方法について説明する。まず、図４に示すように、不溶性ガスの供給源（図示せず）から延びるガス供給配管３０を取付部１５に接続する。その後、取鍋３１等に収容されている溶湯金属中にランスパイプ１を浸漬させる。このとき、溶湯金属中に溶解している水素を効率よく除去するために、ガス流出管１４が溶湯金属の液面Ｓと略平行となるように配置することが好ましい。なお、ランスパイプ１を溶湯金属中に浸漬させるには、リフターやクレーン等の昇降装置３２を用いて行うのが好ましい。
【００２８】
次に、不溶性ガスの供給源から加圧された不溶性ガスをランスパイプ１に導く。不溶性ガスは、ガス導入管１１を介してガス流出管１４に導かれ、ガス流出管１４に形成されている複数のガス流出孔１６に導かれる。ガス流出孔１６に導かれた不溶性ガスは、多孔質の被覆材２０を通過する際に細分化され、被覆材２０表面から細かい気泡Ｇとなって溶湯金属中に流出する。溶湯金属中に溶解している水素は、被覆材２０表面から流出し溶湯金属の液面Ｓに向かって上昇する不溶性ガスの細かい気泡Ｇに移行し、溶湯金属の液面Ｓから外部に放出される。
【００２９】
このように本実施形態に係るランスパイプ１によれば、ランスパイプ１の側面から不溶性ガスの気泡を溶湯金属中に流出できるように構成しているので、溶湯金属の広い範囲にわたって脱ガス処理を行うことが可能になる。この結果、溶湯金属中に溶解している水素を効率良く除去することができる。
【００３０】
また、本実施形態に係るランスパイプ１は、管本体１０が曲がり部１２を有すると共に、管本体１０の曲がり部１２よりも先端側にガス流出孔１６が形成されているため、ランスパイプ１を容易に支持することができると共に、ランスパイプ１における不溶性ガスの気泡が生成される側面を溶湯金属の任意の深さまで容易に浸漬させることができる。さらに、ランスパイプ１により生成される不溶性ガスの気泡を、溶湯金属の同一深度付近から溶湯金属中に流出させることができるので、溶湯金属中における不溶性ガスの気泡の滞留時間を略一定にすることができ、より一層効率良く脱ガス処理を行うことができる。
【００３１】
また、本実施形態に係るランスパイプ１は、ランスパイプ１の全長にわたって金属製の管本体１０を内部に備えているため、ランスパイプ１の取り扱い時における衝撃や、脱ガス処理時における作業負荷によって、ランスパイプ１が折損することを防止することができ、ランスパイプ１の耐衝撃性や耐久性を高めることができる。
【００３２】
また、管本体１０の表面に被覆される被覆材２０は、ガラス繊維から成る基材シート２１にガラス質コーティング剤を含浸させると共に、基材シート２１の表面全体をガラス質コーティング剤の塗布膜２２で覆うことにより形成されているので、溶湯金属に対するぬれ性が悪く、溶湯金属によって被覆材２０に目詰まりが発生することを防止することができる。この結果、ガス流出孔１６を介して多孔質性の被覆材２０に導かれた不溶性ガスが、当該被覆材２０を通過できなくなるような事態が発生することを効果的に防止することができ、ランスパイプ１の長時間使用が可能になる。また、このように構成された被覆材２０は、耐食性にも優れている材料なので、ランスパイプ１が溶損することを効果的に防止することができ、さらに、若干の柔軟性を有しているため、管本体１０と被覆材２０との熱膨張差によって生じる被覆材２０の剥離や亀裂を効果的に防止することができる。
【００３３】
以上、本発明の一実施形態について説明したが、本発明の具体的な態様は上記実施形態に限定されず、例えば、図５に示すように、ガス流通管に形成されるガス流出孔１６に多孔質性耐火材からなる多孔質栓４０を装着する構成を採用することもできる。この多孔質栓４０は、被覆材２０により被覆されている。このような構成によれば、ガス導入管１１を介してガス流出管１４に導かれた不溶性ガスは、多孔質栓４０を通過した後、ガス流出管１４を被覆する被覆材２０に進入して溶湯金属中に流出するので、被覆材２０を直接押圧する不溶性ガスの力を軽減させることができる。この結果、不溶性ガスの押圧力によって被覆材２０が管本体から剥離することを防止することが可能となる。また、図６に示すように、管本体１０を貫通するように多孔質栓４０を装着するようにしてもよい。ここで、多孔質栓４０は、アルミナ、アルミナ・シリカ、ジルコン等の耐火粉末を成形し、焼結せしめたものであり、例えば、通気率が４．０×１０−１４ｍ２〜１５．０×１０−１４ｍ２程度であることが好ましい。なお、この通気率は、ＪＩＳ規格Ｒ２１１５（耐火れんがの通気率の試験方法）に従って求めた値である。
【００３４】
なお、被覆材２０により被覆されている多孔質栓４０の少なくとも一部が、外部に露出するような構成を採用し、ランスパイプ１内を通過する不溶性ガスが、多孔質栓４０の露出部から直接的に溶湯金属中に流出するような構成を採用することもできる。
【００３５】
また、本実施形態における管本体１０の少なくとも一部を、金網状部材を筒状に形成して構成してもよい。金網状部材としては、エキスパンドメタルや金属製のメッシュ状パネル等を例示することができる。例えば、金網状部材を筒状に形成して本実施形態におけるガス流出管１４を構成した場合、金網状部材のメッシュ部分が、ガス流出孔１６に相当するので、当該ガス流出孔１６を別途形成する必要がなく、低コストでランスパイプ１を製造することが可能になる。また、管本体１０の少なくとも一部を、金網状部材を筒状に形成して構成した場合、管本体１０と被覆材２０との熱膨張率の相違に基づいて発生する両者間の歪みを、金網状部材により形成した管本体１０の一部が吸収するため、被覆材２０に剥離や亀裂等が発生することを効果的に防止することができる。
【００３６】
また、本実施形態においては、エルボ管１３を介してガス導入管１１とガス流出管１４とを接続することにより管本体１０を構成しているが、例えば、単一の直線状の金属管を曲げ形成により側面視Ｌ字状となるように形成し、当該Ｌ字状金属管の曲がり部１２よりも先端側にガス流出孔１６を形成するようにして管本体１０を構成することもできる。
【００３７】
また、本実施形態においては、ガス流出管１４は、一方端が閉塞された有底状のパイプ状部材から形成されているが、例えば，両端に開口部を有するパイプ状部材を使用すると共に、当該パイプ状部材の一端側を閉塞させるキャップを取り付けることによりガス流出管１４を構成してもよい。
【００３８】
また、本実施形態においては、管本体１０の形状を側面視Ｌ字状に構成しているが、このような形状に特に限定されず、例えば、直線状や、湾曲状に構成することもできる。
【００３９】
次に、本発明の脱ガス処理器について添付図面を参照して説明する。図８は、本発明の一実施形態に係る脱ガス処理器の概略構成断面図であり、図９は、図８に示す矢示Ｂ方向から見た平面図である。この脱ガス処理器５０は、図８及び図９に示すように、気泡発生体５１と、ガス導入配管５５とを備えている。
【００４０】
気泡発生体５１は、平面視矩形状の平板状に形成されており、内部空間５３を有する金属製の処理器本体５２と、当該処理器本体５２を被覆する多孔質性耐火材からなる被覆材２０とを備えている。この気泡発生体５１の一方面５１ａにおける側縁近傍には、処理器本体５２の内部空間５３に不溶性ガスを導くガス導入部５４が形成されており、当該ガス導入部５４にガス導入配管５５が接続されている。
【００４１】
処理器本体５２は、普通鋼、ステンレス、鋳鉄などの金属材料からなり、平面視矩形状の平板状に形成されている。この処理器本体５２は、上述のように内部空間５３を備えている。ガス導入部５４が形成されている処理器本体５２の一方面５２ａの略全域には、内部空間５３に導かれた不溶性ガスを流出するガス流出孔１６が所定間隔を開けて複数形成されている。このガス流出孔１６は、多孔質性耐火材からなる被覆材２０により被覆されており、これにより、処理器本体５２の内部空間５３に導かれた不溶性ガスが、ガス流出孔１６と被覆材２０とを介して、気泡発生体５１の一方面５１ａから流出することができる。また、ガス流出孔１６の孔形状や個数は特に限定されず、例えば、孔形状として、平面視円形状、或いは、平面視楕円形状等の形状を採用することができる。また、ガス流出孔１６をスリットにより構成することもできる。なお、処理器本体５２の他方面５２ｂにガス流出孔１６を更に形成するような構成や、処理器本体５２の端面５２ｃ，５２ｃ，５２ｃ，５２ｃにガス流出孔１６を更に形成するような構成を採用してもよい。
【００４２】
被覆材２０は、上述したランスパイプ１に用いられるものと同一の構成を備えているので、ここでは詳細な説明を省略する。
【００４３】
ガス導入配管５５は、両端に開口部を有するパイプ状部材５５ａに被覆材２０を被覆して構成されており、その一方端がガス導入部５４に接続している。ガス導入配管５５の他方端は、図示しない不溶性ガスの供給源から延びるガス供給配管を取り付けるための取付部５５ｂを備えている。ガス導入配管５５を構成するパイプ状部材５５ａは、例えば、普通鋼、ステンレス、鋳鉄などの金属材料から構成されている。
【００４４】
このように構成された脱ガス処理器５０の作動について以下説明する。脱ガス処理器５０を用いて溶湯金属中に溶解する水素等を除去するには、まず、図１０に示すように、溶湯金属の保持炉や取鍋のような容器７０における溶湯金属が収容される収容空間７０ａに脱ガス処理器５０の気泡発生体５１を配置する。このとき、溶湯金属中に溶解している水素等を効率よく除去するために、気泡発生体５１の他方面５１ｂが収容空間７０ａの底面に接するように配置することが好ましい。
【００４５】
その後、容器７０の収容空間７０ａに溶湯金属を収容すると共に、ガス導入配管５５を介して不溶性ガスを気泡発生体５１に供給する。気泡発生体５１に導かれた不溶性ガスは、処理器本体５２の内部空間５３、ガス流出孔１６および多孔質性耐火材からなる被覆材２０を介して、気泡発生体５１の一方面５１ａの略全域から細かい気泡Ｇとなって容器７０の収容空間７０ａに収容されている溶湯金属中に流出する。溶湯金属中に溶解している水素等は、気泡発生体５１の一方面５１ａから流出し溶湯金属の液面Ｓに向かって上昇する不溶性ガスの細かい気泡Ｇに移行し、溶湯金属の液面Ｓから外部に放出される。
【００４６】
このように、本実施形態に係る脱ガス処理器５０によれば、平板状に形成された気泡発生体５１の一方面５１ａの略全域から不溶性ガスの気泡Ｇを溶湯金属中に流出できるように構成しているので、溶湯金属中に溶解している水素等を広範囲にわたって効率良く除去することができる。
【００４７】
また、本実施形態に係る脱ガス処理器５０における気泡発生体５１は、その内部に金属製の処理器本体５２を備えているため、脱ガス処理器５０の取り扱い時における衝撃によって、気泡発生体５１が破損することを効果的に防止することができ、脱ガス処理器５０の耐衝撃性や耐久性を高めることができる。
【００４８】
また、処理器本体５２の表面に被覆される被覆材２０は、上述のランスパイプ１におけるものと同一の構成を備えているので、溶湯金属に対するぬれ性が悪く、溶湯金属によって被覆材２０に目詰まりが発生することを防止することができる。この結果、ガス流出孔１６を介して多孔質性の被覆材２０に導かれた不溶性ガスが、当該被覆材２０を通過できなくなるような事態が発生することを効果的に防止することができ、脱ガス処理器５０の長時間使用が可能になる。また、被覆材２０は、耐食性にも優れている材料なので、脱ガス処理器５０が溶損することを効果的に防止することができ、さらに、若干の柔軟性を有しているため、処理器本体５２と被覆材２０との熱膨張差によって生じる被覆材２０の剥離や亀裂を効果的に防止することができる。
【００４９】
上記脱ガス処理器５０の作動説明として、保持炉や取鍋等の容器７０の収容空間７０ａに脱ガス処理器５０の気泡発生体５１を配置する場合を例にとり説明したが、例えば、溶解炉から排出された溶湯金属を保持炉や取鍋等に移送する樋に脱ガス処理器５０を取り付けて、溶湯金属中に溶解する水素等を除去することもできる。具体的に説明すると、例えば図１１の断面図及び図１１に示す矢示Ｃ方向から見た平面図である図１２に示すように、溶湯金属が移送される移送空間５７と、溶湯表面に浮遊するスラグ等の不純物が移送方向（図１１に示す矢示Ｄ方向）に流れることを防止する仕切板５８とを備える樋５６において、仕切板５８に対して溶湯金属の移送方向側（下流側）における移送空間５７に脱ガス処理器５０の気泡発生体５１を配置して、溶湯金属を溶解炉から取鍋等に移送しながら、ガス導入配管５５を介して不溶性ガスを気泡発生体５１に供給し、気泡発生体５１の一方面５１ａから細かい気泡を移送中の溶湯金属中に流出する。なお、図１１及び図１２に示す脱ガス処理器５０においては、２つのガス導入配管５５，５５を気泡発生体５１に取り付ける構成を示している。
【００５０】
これにより、溶湯金属の移送途中において溶湯金属中に溶解している水素等を除去することができ、溶湯金属の脱ガス処理の時間的な効率性を向上させることができる。なお、樋５６によって移送される溶湯金属中に溶解している水素等を効率よく除去するために、気泡発生体５１の他方面５１ｂが移送空間５７の底面５７ａに接するように配置することが好ましい。
【００５１】
以上、本発明にかかる脱ガス処理器５０の一実施形態について説明したが、本発明の具体的な態様は上記実施形態に限定されない。本実施形態においては、図９に示すように、気泡発生体５１を平板状に形成しているが、例えば、図１３に示すように、気泡発生体５１を容器状に形成し、気泡発生体５１が溶湯金属を収容する収容部６０を備えるように構成してもよい。このような構成を採用する場合、処理器本体５２の内部空間５３に導かれた不溶性ガスが、被覆材２０を介して収容部６０に流出するようにガス流出孔１６を処理器本体５２に形成する。図１３に示す脱ガス処理器５０においては、収容部６０の底部６０ａから不溶性ガスの気泡が収容部６０内に流出するようにガス流出孔１６を処理器本体５２に形成している。このような構成により、溶湯金属を収容する機能を備えた脱ガス処理器５０を得ることができる。なお、収容部６０の側壁部６０ｂからも不溶性ガスの気泡が収容部６０内に流出するように、収容部６０の側壁部６０ｂを構成する処理器本体５２の一部分にガス流出孔１６を形成してもよい。
【００５２】
また、例えば、図１４の断面図及び図１４の矢示Ｅ方向から見た平面図である図１５に示すように、気泡発生体５１を樋状に形成し、気泡発生体５１が、溶湯金属を移送する移送部６１を備えるように構成してもよい。このような構成を採用する場合、処理器本体５２の内部空間５３に導かれた不溶性ガスが、被覆材２０を介して移送部６１に流出するようにガス流出孔１６を処理器本体５２に形成する。この脱ガス処理器５０は、図１４に示すように、気泡発生体５１を断面視コ字状に形成して移送部６１を構成し、移送部６１の底部６１ａから不溶性ガスの気泡が移送部６１内に流出するようにガス流出孔１６を処理器本体５２に形成している。このような構成により、溶解炉等から取鍋等に溶湯金属を移送しながら脱ガス処理を行うことが可能な脱ガス処理器５０を得ることができる。なお、移送部６１の側壁部６１ｂからも不溶性ガスの気泡が移送部６１内に流出するように、移送部６１の側壁部６１ｂを構成する処理器本体５２の一部分にガス流出孔１６を形成してもよい。
【００５３】
また、図１４に示す脱ガス処理器５０においては、気泡発生体５１を断面視コ字状に形成して移送部６１を構成しているが、例えば、図１６に示すように、断面視Ｕ字状となるように気泡発生体５１を形成して移送部６１を構成することもできる。
【００５４】
また、本実施形態においては、図８及び図９に示すように、処理器本体５２の一方面５２ａの略全域にわたって、ガス流出孔１６を複数形成するようにしているが、このような構成に特に限定されず、例えば、処理器本体５２の一方面５２ａの中央部分にガス流出孔１６を複数形成するような構成を採用することもできる。
【００５５】
また、本実施形態においては、図９に示すように、気泡発生体５１を平面視矩形状の平板状に形成しているが、このような形状に特に限定されず、例えば、平面視円形状の平板状等種々の形状に形成することができる。
【００５６】
また、図５に示すランスパイプ１の変形例と同様に、多孔質性耐火材からなる多孔質栓４０を処理器本体５２に形成したガス流出孔１６に装着すると共に、多孔質栓４０を被覆材２０により被覆する構成を採用することもできる。このような構成を採用した場合の効果は、図５に示すランスパイプの変形例において説明した効果と同様である。
【００５７】
また、処理器本体５２の少なくとも一部を、金網状部材により構成してもよい。金網状部材としては、上述のランスパイプの変形例において説明した部材を採用することができる。金網状部材により処理器本体５２を構成した場合、金網状部材のメッシュ部分が、ガス流出孔１６に相当するので、当該ガス流出孔１６を別途形成する必要がなく、低コストで脱ガス処理器５０を製造することが可能になる。また、金網状部材で構成した処理器本体５２は弾力性を有しているため、処理器本体５２と被覆材２０との熱膨張差によって生じる被覆材２０の剥離や亀裂を効果的に防止することができる。
【図面の簡単な説明】
【００５８】
【図１】本発明の一実施形態に係るランスパイプの概略構成断面図である。
【図２】図１のＡ−Ａ断面を示す断面図である。
【図３】図１に示すランスパイプの変形例を示す概略構成断面図である。
【図４】図１に示すランスパイプの使用方法を説明する説明図である。
【図５】図１に示すランスパイプの他の変形例を示す概略構成断面図である。
【図６】図１に示すランスパイプの更に他の変形例を示す概略構成断面図である。
【図７】従来のランスパイプを示す概略構成断面図である。
【図８】本発明の一実施形態に係る脱ガス処理器の概略構成断面図である。
【図９】図８における矢示Ｂ方向から見た平面図である。
【図１０】図８に示す脱ガス処理器を容器に取り付けた場合の使用方法を説明する説明図である。
【図１１】図８に示す脱ガス処理器を樋に取り付けた場合の使用方法を説明する説明図である。
【図１２】図１１における矢示Ｃ方向から見た平面図。
【図１３】図８に示す脱ガス処理器の変形例を示す概略構成断面図である。
【図１４】図８に示す脱ガス処理器の他の変形例を示す概略構成断面図である。
【図１５】図１４における矢示Ｅ方向から見た平面図である。
【図１６】図８に示す脱ガス処理器の更に他の変形例を示す概略構成断面図である。
【符号の説明】
【００５９】
１      ランスパイプ
１０    管本体
１１    ガス導入管
１２    曲がり部
１３    エルボ管
１４    ガス流出管
１５    取付部
１６    ガス流出孔
２０    被覆材
２１    基材シート
２２    塗布膜
３１    取鍋
４０    多孔質栓
５０    脱ガス処理器
５１    気泡発生体
５２    処理器本体
５３    内部空間
５４    ガス導入部
５５    ガス導入配管
５６    樋
７０    容器
【図１】
2008007848.tif 000003
【図２】
2008007848.tif 000004
【図３】
2008007848.tif 000005
【図４】
2008007848.tif 000006
【図５】
2008007848.tif 000007
【図６】
2008007848.tif 000008
【図７】
2008007848.tif 000009
【図８】
2008007848.tif 000010
【図９】
2008007848.tif 000011
【図１０】
2008007848.tif 000012
【図１１】
2008007848.tif 000013
【図１２】
2008007848.tif 000014
【図１３】
2008007848.tif 000015
【図１４】
2008007848.tif 000016
【図１５】
2008007848.tif 000017
【図１６】
2008007848.tif 000018